【手続補正書】
【提出日】平成16年4月16日(2004.4.16)
【手続補正１】
【補正対象書類名】明細書
【補正対象項目名】特許請求の範囲
【補正方法】変更
【補正の内容】
【特許請求の範囲】
【請求項１】
補償信号を提供するために高周波数信号成分と低周波数信号成分と中央周波数信号成分とを有するプログラム入力信号に応答し、かつ高信号成分および中央信号成分を平衡させ加算する利得制御回路を有する状態可変前置増幅器と、補償信号および制御信号を受け取り修正済み補償信号および出力信号を提供するように結合され、調整可能な帯域幅を有し、制御信号の振幅値が低減したことに応答してフィルタ回路の帯域幅を低減するようにフィルタ回路の帯域幅を自動的に調整するために制御信号に応答するフィルタ回路と、修正済み補償信号に応答して修正済み補償信号の振幅に比例する制御信号を提供する絶対値回路とを含む、増幅器回路。
【請求項２】
状態可変前置増幅器がさらに、プログラム入力信号に応答して高周波数信号成分と低周波数信号成分と中央周波数信号成分とを提供する状態可変帯域能動フィルタ、および高周波数信号成分と低周波数信号成分と中央周波数信号成分とを加算して補償信号を提供する加算回路を含む、請求項1に記載の増幅器回路。
【請求項３】
中央信号成分が高周波数信号成分および低周波数信号成分に対して位相が反転される、請求項2に記載の増幅器回路。
【請求項４】
絶対値回路がさらに、第1の増幅信号を提供するために修正済み補償信号を受け取るように結合された高域増幅器と、第1の増幅信号に応答して絶対値信号を提供する絶対値回路と、絶対値信号に応答してピーク絶対値信号を提供するピーク検出回路と、ピーク絶対値信号に応答して制御信号を提供する低域フィルタおよびバイアス回路とを含む、請求項1に記載の増幅器回路。
【請求項５】
高域増幅器がさらに利得調整機構を含む、請求項4に記載の絶対値回路。
【請求項６】
制御信号にdcバイアスレベルを加えるために低域フィルタおよびバイアス回路がさらにdcバイアス調整制御機構を含む、請求項4に記載の絶対値回路。
【請求項７】
フィルタ回路がさらに、補償信号と積分出力信号を加算し修正済み補償信号を提供する入力増幅器と、積分器入力信号電流を提供するために修正済み補償信号と制御電圧に応答する入力を有する電圧制御式増幅器と、積分器入力信号電流を受け取るように結合された入力を有し、かつ積分器入力信号を積分し積分器出力信号を提供する積分器回路と、積分器出力信号に応答して出力信号を提供する低域能動フィルタとを含む、請求項1に記載の増幅器回路。
【請求項８】
フィルタ回路がさらに、補償信号と積分出力信号を加算し修正済み補償信号を提供する入力増幅器、ならびに修正済み補償信号を積分器入力信号電流になるようにさらに修正し、かつ積分器入力信号電流を積分器入力に結合するために発光ダイオードからの光に応答する感光抵抗器と、発光ダイオードと、積分器入力信号電流を受け取るように結合された積分器入力を有し、かつ積分器入力信号電流を積分し積分器出力信号を提供する積分器回路とを含む光電管、ならびに積分器出力信号に応答して出力信号を提供する低域能動フィルタを含む、請求項1に記載のフィルタ回路。
【請求項９】
可能な高周波数信号成分と低周波数信号成分と中央周波数信号成分とを有するプログラム入力信号に応答し、かつ高周波数信号成分と低周波数信号成分と中央周波数信号成分とを含む補償信号を提供する状態可変フィルタを有し、かつ低周波数信号成分と高周波数信号成分と中央周波数信号成分とを平衡させ加算する手段を有する前置増幅器、ならびに補償信号を受け取り自動的にフィルタし出力信号と修正済み補償信号を提供するように結合され自動的に調整できる帯域幅を有し、かつ制御信号の値が低減したことに応答してフィルタ回路自体の帯域幅を自動的に低減させ出力信号を得るために制御信号に応答し、かつ補償信号と積分器出力信号を加算し修正済み補償信号を提供する入力増幅器を有するフィルタ回路、ならびに修正済み補償信号を積分器入力信号になるようにさらに修正し、かつ積分器入力信号を積分器入力に結合するため発光ダイオードからの光に応答する感光抵抗器と、発光ダイオードとを有する光電管、ならびに感光抵抗器自体の抵抗が制御電圧の低下に応答して増大する感光抵抗器を照明するため、制御電圧に応答する発光ダイオード、ならびに修正済み補償信号に応答して修正済み補償信号の振幅に比例する制御信号を提供する絶対値回路を含む、増幅器回路。
【請求項１０】
補償信号を提供する前置増幅器の状態可変フィルタがさらに、プログラム信号に応答して高周波数補償信号を提供する第1の増幅器段と、第1の増幅器段の出力に応答して中央補償信号を提供する第2の増幅器段と、第2の増幅器段の出力に応答して低補償信号を提供する第3の増幅器段と、高周波数補償信号と低周波数補償信号と中央周波数補償信号とを加算し補償信号を提供する加算回路とを含む、請求項9に記載の増幅器回路。
【請求項１１】
中央補償信号が高周波数補償信号および低周波数補償信号とは異なる位相を有する、請求項10に記載の増幅器回路。
【請求項１２】
絶対値回路がさらに、第1の増幅信号を提供するために修正済み補償信号を受け取るように結合された高域増幅器と、第1の増幅信号に応答して絶対値信号を提供する絶対値回路と、絶対値信号に応答してピーク絶対値信号を提供するピーク検出回路と、ピーク絶対値信号に応答して制御信号を提供する低域フィルタおよびバイアス回路とを含む、請求項10に記載の増幅器回路。
【請求項１３】
高域増幅器がさらに利得調整機構を含む、請求項12に記載の絶対値回路。
【請求項１４】
低域フィルタおよびバイアス回路がさらに制御信号にdcバイアスレベルを加えるdcバイアス調整制御機構を含む、請求項12に記載の絶対値回路。
【請求項１５】
高周波数信号成分と低周波数信号成分と中央周波数信号成分とを有する場合があるプログラム入力信号に応答し、ならびに高周波数補償信号成分と低周波数補償信号成分と中央周波数補償信号成分とを含む補償信号を出力で提供する状態可変フィルタを有し、ならびにプログラム信号に応答して高周波数補償信号を提供する第1の増幅器段、および第1の増幅器段の出力に応答して中央補償信号を提供する第2の増幅器段、および第2の増幅器段の出力に応答して低補償信号を提供する第3の増幅器段、および高周波数補償信号と中央信号と低周波数補償信号との間の平衡を調整する調整手段、および高周波数補償信号と低周波数補償信号と中央補償信号とを加算し補償信号を提供する加算回路、および補償信号に応答して可聴音声を提供する補償信号に応答するスピーカ増幅器手段を有する前置増幅器を含む、増幅器回路。
【請求項１６】
中央信号成分が高周波数信号成分および低周波数信号成分に対して反転された位相を有する、請求項15に記載の増幅器回路。
【請求項１７】
補償信号および制御信号を受け取り修正済み補償信号および出力信号を提供するように結合され、かつ調整可能な帯域幅を有し、かつ制御信号の振幅値が低減したことに応答してフィルタ回路自体の帯域幅を低減するようにフィルタ回路の帯域幅を自動的に調整するために制御信号に応答するフィルタ回路と、修正済み補償信号に応答して修正済み補償信号の振幅に比例する制御信号を提供する絶対値回路とをさらに含む、請求項15に記載の増幅器回路。
【請求項１８】
前置増幅器がさらに、反転入力および非反転入力を有する第一の増幅器段と、反転入力に結合されたプログラム信号と、中央補償信号に応答し、かつ第1の増幅器の非反転入力に中央補償信号の一部を提供する出力を有する抵抗器ディバイダ回路網とを含む、請求項15に記載の増幅器回路。